(57)【特許請求の範囲】
【請求項１】
本体内部に外気を導入する第一及び第二の風路と、
本体内部の背面側に設けられ、前記第一の風路に導入された外気に含まれる水分を吸湿する吸湿素子と、
本体内部に設けられ、前記吸湿素子に吸湿された水分を蒸発させる加熱手段と、
本体内部の正面側に設けられ、前記第二の風路に導入された外気を用いて前記加熱手段で蒸発した水分を冷却・結露させる熱交換器と、
本体内部の前記吸湿素子と前記熱交換器との間に設けられ、前記吸湿素子および前記熱交換器を通過した空気を吸引する送風機と、
本体の側面又は背面に設けられ、前記第一及び第二の風路が各々接続された本体吸込口とを備え、
前記送風機は、
前記吸湿素子を通過した空気を吸引する第一の回転翼と、
前記第一の回転翼と仕切板を介して同軸上に設けられ、前記熱交換器を通過した空気を吸引する第二の回転翼と、
前記第一及び第二の回転翼を同時に駆動させるモータと、
前記第一及び第二の回転翼を覆い吸引した空気を排気口に導くケーシングとを備え、
かつ前記第一の回転翼は前記第二の回転翼よりも軸方向の長さを長くし、前記モータを該第一の回転翼側に挿入配置し、
前記ケーシングの内壁面には、軸と直交する面内で見て渦巻き状に延出する複数の突条または複数の凹条からなる整流部を設置するとともに、該整流部の高さが、その幅方向の中央に比べてその幅方向の両側が高くなるように構成し、
前記第二の風路には、正面側から側面又は背面に引き回すバイパスダクトが設けられていることを特徴とする除湿機。
【請求項２】
本体内部に外気を導入する第一及び第二の風路と、
本体内部の正面側に設けられ、前記第二の風路に導入された外気に含まれる水分を吸湿する吸湿素子と、
本体内部に設けられ、前記吸湿素子に吸湿された水分を蒸発させる加熱手段と、
本体内部の背面側に設けられ、前記第一の風路に導入された外気を用いて前記加熱手段で蒸発した水分を冷却・結露させる熱交換器と、
本体内部の前記吸湿素子と前記熱交換器との間に設けられ、前記吸湿素子および前記熱交換器を通過した空気を吸引する送風機と、
本体の側面又は背面に設けられ、前記第一及び第二の風路が各々接続された本体吸込口とを備え、
前記送風機は、
前記吸湿素子を通過した空気を吸引する第一の回転翼と、
前記第一の回転翼と仕切板を介して同軸上に設けられ、前記熱交換器を通過した空気を吸引する第二の回転翼と、
前記第一及び第二の回転翼を同時に駆動させるモータと、
前記第一及び第二の回転翼を覆い吸引した空気を排気口に導くケーシングとを備え、
かつ前記第一の回転翼は前記第二の回転翼よりも軸方向の長さを長くし、前記モータを該第一の回転翼側に挿入配置し、
前記ケーシングの内壁面には、軸と直交する面内で見て渦巻き状に延出する複数の突条または複数の凹条からなる整流部を設置するとともに、該整流部の高さが、その幅方向の中央に比べてその幅方向の両側が高くなるように構成し、
前記第二の風路には、正面側から側面又は背面に引き回すバイパスダクトが設けられていることを特徴とする除湿機。
【請求項３】
前記整流部の高さがその幅方向で見て最小となる位置が、前記送風機の前記仕切板の軸方向位置と一致するように構成したことを特徴とする請求項１又は請求項２記載の除湿機。
【請求項４】
前記加熱手段で水分が蒸発した高湿空気を前記熱交換器に導く高湿空気用ダクトを更に備え、前記高湿空気用ダクトには、伝熱面積を増加させるために表面に凹部又は凸部が設けられていることを特徴とする請求項１乃至請求項３のいずれかに記載の除湿機。
【請求項５】
前記高湿空気用ダクトと前記ケーシングを密着又は一体化したことを特徴とする請求項４記載の除湿機。
【請求項６】
前記第一の風路に、前記本体吸込口から導入された外気をなめらかに正面方向に導くベルマウスを設けたことを特徴とする請求項１乃至請求項５のいずれかに記載の除湿機。
【請求項７】
前記吸湿素子と前記送風機との間に設けられ、前記吸湿素子を通過した空気をなめらかに前記送風機に導く導風板を設けたことを特徴とする請求項１乃至請求項６のいずれかに記載の除湿機。
【請求項８】
前記熱交換器は、円管群と、該円管群の上端に設けられた上部ヘッダと、前記円管群の下端に設けられた下部ヘッダとを備え、
前記円管群は、千鳥格子形状で複数の列数で配設されていることを特徴とする請求項１乃至請求項７のいずれかに記載の除湿機。
【請求項９】
前記上部ヘッダ及び前記下部ヘッダは、端部が本体の外周形状に沿って屈曲形状または湾曲形状に形成されていることを特徴とする請求項８記載の除湿機。
【請求項１０】
前記上部ヘッダの上端面は、前記加熱手段で水分が蒸発した高湿空気の流れの下流側に向かうに従って低くなるよう構成されていることを特徴とする請求項８又は請求項９記載の除湿機。
【請求項１１】
本体上部の中央にメイン吹出口、本体上部の少なくとも一方の側面にサブ吹出口を、それぞれ設け、
前記メイン吹出口と前記サブ吹出口には、それぞれ風向を変化させるベーンを設けたことを特徴とする請求項１乃至請求項１０のいずれかに記載の除湿機。
【発明の詳細な説明】
【技術分野】
【０００１】
本発明は送風機を用いた吸放湿性を有するゼオライトなどの吸湿素子を用いた除湿機に関するものである。
【背景技術】
【０００２】
吸放湿性を有するゼオライト等の吸湿素子を用いた従来の家庭用除湿機として、例えば片側吸込みの送風機の上流の吸込口から当該送風機に至る間に、吸湿素子から放湿された空気を凝縮する熱交換器と円板状の吸湿素子とを順に配設したものがある。このようなものにおいて、吸込口から吸入された空気は、先ず熱交換器を通過し、次いで吸湿素子を通過するときに空気に含まれる水分が当該吸湿素子へ吸湿され、乾いた空気となって送風機を通り、室内へ放出されるようになっている。
【０００３】
また、吸湿素子は、その面内で回動させながらヒータで加熱された空気を部分的に通過させることにより、吸湿した水分が連続的に放湿されるようになっており、放湿された湿気は、循環経路などによって前述の熱交換器の入口側に戻され、熱交換器で冷却されることにより結露し、タンクに貯められるようになっている。
【０００４】
ところで、ゼオライト等の吸湿素子は温度が低いほど保水率が高いという性質を有する。しかしながら、前述のように基本的に熱交換器の下流側に吸湿素子を配置したものにあっては、吸込口から吸入された空気が、熱交換器を通過する間に温度が上昇し、その後、吸湿素子に流入するため、吸湿素子が本来の機能を十分に発揮できず、吸湿効率が低下するという問題があった。
【０００５】
そこで、除湿機本体に第１と第２の吸込口を設けるとともに、両側吸込型の送風機を用い、この送風機の両吸込口に熱交換器と吸湿素子とを別々に配置し、第１吸込口から熱交換器を経由して送風機に通じる第１吸気通路と、第２吸込口から吸湿素子を経由して送風機に通じる第２吸気通路とを設け、吸湿素子に流入する空気が熱交換器の温度の影響を受けないようにしたものが提案されている（例えば、特許文献１参照）。
【０００６】
【特許文献１】特開２００２−３６１０２６号公報（図１、図２、図５）
【発明の開示】
【発明が解決しようとする課題】
【０００７】
ところで、これまでの除湿機において、本体側の吸込口は、内蔵される送風機の吸込口と対向するように配設されている。したがって、前述のように除湿機本体に２つの吸込口を設けたものにおいて、除湿機本体側の各吸込口を、当該除湿機が設置される壁と平行になる面に設置した場合、一方の吸込口が除湿機本体の正面に配置されることとなり、意匠性が悪いという難点がある。
【０００８】
また、送風機として両側吸込型のシロッコファンを用いた場合、その両側吸込口のいずれか一方の付近にモータを設置しなければならない。そして、除湿機本体をコンパクト化するためには、モータと本体側吸込口を接近、もしくはモータを送風機のケーシングのベルマウス内に挿入しなければならず、モータを設置した側の吸込口から吸入される空気の風量とその反対側の吸込口から吸入される空気の風量との間、つまり吸湿素子通過風量と熱交換器通過風量との間に、アンバランスが生じ、除湿効率が低下するという難点がある。
【０００９】
また、モータを送風機のケーシングのベルマウス内に挿入することによって、送風機のケーシング内部の空気の一部が軸に垂直な面に沿って流れるだけでなく、軸方向に流れ、送風機のケーシング内部の静圧が低下する、あるいは吸込口であるベルマウスから空気が流出してしまい、静圧が上昇したり、風量を確保するために回転数を上げなければならなくなり、消費電力や騒音が増大するという難点がある。
【００１０】
本発明は叙上の点に鑑み、意匠性、設置自由度および除湿能力を向上させ、消費電力や騒音を低減できる除湿機を得ることを目的とする。
【課題を解決するための手段】
【００１１】
本発明に係る除湿機は、本体正面には吸込口を設けず、本体の背面または側面に吸込口を配設し、吸込口から吸湿素子を経由して送風機に通じる風路と、この風路とは隔絶されて吸込口から熱交換器を経由して送風機に通じる風路とを別個に設けたものである。
すなわち、本発明に係る除湿機は、本体内部に外気を導入する第一及び第二の風路と、 本体内部の背面側に設けられ、前記第一の風路に導入された外気に含まれる水分を吸湿する吸湿素子と、本体内部に設けられ、前記吸湿素子に吸湿された水分を蒸発させる加熱手段と、本体内部の正面側に設けられ、前記第二の風路に導入された外気を用いて前記加熱手段で蒸発した水分を冷却・結露させる熱交換器と、本体内部の前記吸湿素子と前記熱交換器との間に設けられ、前記吸湿素子および前記熱交換器を通過した空気を吸引する送風機と、本体の側面又は背面に設けられ、前記第一及び第二の風路が各々接続された本体吸込口とを備え、前記送風機は、前記吸湿素子を通過した空気を吸引する第一の回転翼と、前記第一の回転翼と仕切板を介して同軸上に設けられ、前記熱交換器を通過した空気を吸引する第二の回転翼と、前記第一及び第二の回転翼を同時に駆動させるモータと、前記第一及び第二の回転翼を覆い吸引した空気を排気口に導くケーシングとを備え、かつ前記第一の回転翼は前記第二の回転翼よりも軸方向の長さを長くし、前記モータを第一の回転翼側に挿入配置し、前記ケーシングの内壁面には、軸と直交する面内で見て渦巻き状に延出する複数の突条または複数の凹条からなる整流部を設置するとともに、この整流部の高さが、その幅方向の中央に比べてその幅方向の両側が高くなるように構成し、前記第二の風路には、正面側から側面又は背面に引き回すバイパスダクトが設けられてなるものである。
【発明の効果】
【００１２】
本発明の除湿機によれば、本体の背面または側面に吸込口を配設し、吸込口から吸湿素子を経由して送風機に通じる風路と、この風路とは隔絶されて吸込口から熱交換器を経由して送風機に通じる風路とを別個に設けているので、吸湿素子に流入する空気が熱交換器の温度の影響を受けないようにしつつ、本体の正面の意匠を自由に決定することができる。これにより、意匠性、設置自由度および除湿能力を向上させ、消費電力や騒音を低減することができる。
また、送風機のケーシングの内壁面に、軸と直交する面内で見て渦巻き状に延出する複数の突条または複数の凹条からなる整流部を設置するとともに、この整流部の高さが、その幅方向の中央に比べてその幅方向の両側が高くなるように構成しているので、ケーシング内部を軸方向に向かおうとする流れが整流部によって阻止され、ケーシング内部の空気が軸と直行する面に沿って流れて安定し、ケーシングの吸込口からの漏出が防止される。このため、送風機の静圧が上昇し、送風機の回転数を低下させることが可能となり、消費電力や騒音を低減することができる。
【発明を実施するための最良の形態】
【００１３】
実施の形態１．
以下、図示実施形態により本発明を説明する。
図１は本発明の実施の形態１に係る除湿機を側面側から見た鉛直方向の部分断面図、図２はその上面側から見た水平方向の断面図、図３はその背面側から見た鉛直方向の部分断面図、図４はその風路内に設置されるベルマウスを示す斜視図、図５は同じく風路内に設置される導風板を示す斜視図、図６はその熱交換器を示す斜視図、図７はその熱交換器の上部ヘッダや下部ヘッダと円管との接続部を上方から見た水平方向の断面図、図８はその本体を背面側から見た外観を示す斜視図である。
【００１４】
本実施形態の除湿機は、図１乃至図８のように、除湿機本体の背面に、外気（室内空気）を導入するための本体吸込口５が設けられているとともに、本体の内部に、一端が本体吸込口５にそれぞれ接続されて外気が導入される第一及び第二の風路Ａ，Ｂが設けられている。また、本体内部の背面側に、第一の風路Ａに導入された外気に含まれる水分を吸湿する吸湿素子１と、吸湿素子１に吸湿された水分を蒸発させる加熱手段２が配置されている。また、本体内部の正面側に、加熱手段２で蒸発した水分を、第二の風路Ｂに導入される外気を用いて冷却・結露させる熱交換器３が配置されているとともに、吸湿素子１と熱交換器３との間の本体内中央部に、吸湿素子１および熱交換器３を通過した空気を吸引する送風機４が設置されている。さらに、第二の風路Ｂに、本体内部の正面側から本体吸込口５が設けられている面すなわち背面に引き回すバイパスダクト６が設けられている。
【００１５】
これを更に詳述すると、バイパスダクト６は、その一方の開口部が、本体吸込口５と本体内部とを分ける支持板７に開口した開口部８に接続され、その他方の開口部が、熱交換器側面または本体内部の正面側に向けて開口されており、伝熱面積を増加させるために、その表面に凹部または凸部が設けられている。また、支持板７は、吸湿素子１を支えている。
【００１６】
加熱手段２で水分が蒸発した高湿な再生空気は、再生空気の風路Ｃとなる高湿空気用ダクト９により熱交換器３に導かれるようになっている。このため、高湿空気用ダクト９の一方の開口部は吸湿素子１を間にして加熱手段２と対向するように配置され、また高湿空気用ダクト９の他方の開口部は熱交換器３に接続されている。
【００１７】
熱交換器３内部で冷却・除湿された低湿な再生空気は、低湿空気用ダクト１０により加熱手段２に導かれるようになっている。このため、低湿空気用ダクト１０の一方の開口部は熱交換器３に接続され、低湿空気用ダクト１０の他方の開口部は加熱手段２に接続されている。
【００１８】
また、低湿空気用ダクト１０の途中には、熱交換器３内部で冷却・除湿された低湿な再生空気および加熱手段２で水分が蒸発した高湿な再生空気を循環させるための循環用送風機１１が設けられている。
【００１９】
外気を吸引する送風機４は、吸湿素子１を通過した空気を吸引する第一の回転翼１２と、第一の回転翼１２と仕切板１３を介して同軸上に設けられ、熱交換器３を通過した空気を吸引する第二の回転翼１４と、第一及び第二の回転翼１２，１４を覆い、吸引した空気を排気口に導くケーシング１５と、第一及び第二の回転翼１２，１４を同時に駆動させるモータ１６とを備えている。モータ１６は、送風機４の第一の回転翼１２側に挿入配置されている。第一の回転翼１２は、第二の回転翼１４に比べて軸方向の長さが長くなっていて送風能力が第二の回転翼１４よりも高くなるように構成されている。また、ケーシング１５は、高湿空気用ダクト９に密着またはこれと一体化されている。
【００２０】
吸湿素子１は、吸放湿性を有するゼオライト等の吸湿材料をハニカム構造にして円盤状に形成したものであり、図示しないモータによって面内で回転されるようになっている。
【００２１】
本体下部には、熱交換器３の下部と接続されたタンク１７が設けられており、熱交換器３内部で結露された水分を貯留できるようになっている。
【００２２】
次に、本実施形態の除湿機の動作について説明する。
以上のように構成された除湿機において、先ず室内から本体へ入り、本体から室内に吹出される空気の流れについて説明する。本体吸込口５から流入した空気の一部は、吸湿素子１を通過し、吸湿された後、送風機４に吸引され、室内に吹出される。その他の空気は、支持板７に設けられた開口部８からバイパスダクト６を通過し、熱交換器３の前面空間２７を経由し、その後、熱交換器３を通過し、送風機４に吸引され、室内に吹出される。このように、本体吸込口５を本体側面または背面に設け、バイパスダクト６を用いて吸湿素子１と熱交換器３を通過する空気を分けることにより、本体正面には吸込口を設ける必要がなくなり、本体正面の意匠を自由に決定することができる。そして、意匠性や設置自由度を高めつつ、吸湿素子１を通過する空気の温度が熱交換器３の温度の影響により上昇するのを防止でき、除湿効率を高めることができる。
【００２３】
ところで、両吸込の送風機の片側にモータを設置すると、モータを設置しない側に比べてモータ設置側の通風抵抗が大きくなる。つまり送風機の両吸込口の通風抵抗が異なることにより送風機の運転が不安定になる。しかし、本実施形態の除湿機においては、送風機４のモータ１６を設置している側の第一の回転翼１２の軸方向の長さが、反対側の第二の回転翼１４の軸方向の長さよりも長くなっていて、送風能力が第二の回転翼１４よりも高くなるように構成されているとともに、バイパスダクト６の形状や長さの調節によって、第一の回転翼１２にかかる通風抵抗と、モータ１６を設置しない側の第二の回転翼１４にかかる通風抵抗が同等になるように調節可能である。このため、送風機４の両吸込口の通風抵抗を同等にし、第一及び第二の回転翼１２，１４にかかるトルクを同等にすることで、送風機４の運転を安定させることができ、振動や騒音の少ない除湿機を得ることができる。
【００２４】
また、熱交換器３を通過する空気は、比較的に障害物が少ない熱交換器中心付近の風量が大きい。しかし、吸湿素子１を通過する空気は、吸湿素子１の回転軸が中心に存在したり、吸湿素子１に吸湿された水分を蒸発させる加熱手段２が吸湿素子エリア内に存在したりと、中心付近の風量が必ずしも大きくない。そこでモータ１６を吸湿素子１側に設けるが、モータ１６設置側の回転翼の軸方向長さは長くすることにより、モータ１６設置による通風抵抗増大を最小限に抑えつつ、モータ１６設置側と非設置側の回転翼にかかる通風抵抗を同等にする。これによって、送風機４の運転を安定させ、振動や騒音の低減化を図る。
【００２５】
次に、吸湿素子１と熱交換器３の内部を循環する再生空気について説明しながら、構成について更に詳述する。加熱手段２によって加熱された再生空気は、吸湿素子１を通過する際、吸湿素子１に吸湿された水分を含み、高湿空気となって高湿空気用ダクト９を通過し、熱交換器３の内部を通過する。その際、熱交換器３の外部を通過する空気によって冷却されることにより除湿され、低湿な再生空気となって低湿空気用ダクト１０を通過し、加熱手段２に再び供給されることで循環する。この再生空気の循環流は、循環用送風機１１によって発生する。
【００２６】
高湿空気用ダクト９には、伝熱面積を増加させるために表面に凹部または凸部が設けられており、これによって除湿能力が向上している。
【００２７】
また、高湿空気用ダクト９とモータ１６のケーシング１５が密着または一体化されているので、ケーシング１５内部を通過する空気によって高湿空気用ダクト９を冷却することができる。これにより、吸湿素子１を通過した高湿な再生空気を、高湿空気用ダクト９部分でも冷却することができ、熱交換器３の手前の高湿空気用ダクト９部分でも除湿可能となり、本体を大形化することなく、凝縮性能を高めることが可能となり、除湿効率を向上させることができる。
【００２８】
第一の風路Ａの入口側には、図１及び図４のように外気をなめらかに導入するためのベルマウス１８が、その拡径側を本体背面の本体吸込口５に臨ませて配置されている。これにより、本体吸込口５から吸湿素子１までの通風抵抗が減少し、送風機４の回転数および消費電力を低減させることができる。なお、このベルマウス１８は、ここでは円形としたものを例に挙げて説明しているが、これに限るものでなく、例えばベルマウスの本体吸込口側の開口面形状を異形（四角形や多角形）のものとしてもよいことは言うまでもない。
【００２９】
また、第一の風路Ａ内の吸湿素子１と送風機４との間には、図１及び図５のように球面テーパリング状の導風板１９が、その縮径側を送風機４に臨ませて配置されている。これにより、吸湿素子１から送風機４までの通風抵抗が減少し、吸湿素子１を通過した空気をなめらかに送風機４に導くことができ、送風機４の回転数の減少が可能となって、消費電力を削減することができる。なお、導風板１９を送風機４のケーシング１５との間に隙間を設けて設置するようにすれば、送風機４の振動が導風板１９に伝わるのを防止でき、低騒音な除湿機を得ることができる。
【００３０】
熱交換器３は、図６のように上部ヘッダ２０と下部ヘッダ２１を円管２２でつないだものであり、円管２２は千鳥格子形状に複数の列数で配設されている。
【００３１】
また、上部ヘッダ２０の上端面は、加熱手段２で水分が蒸発した高湿な再生空気の送風方向に沿って高さ次第に低くなるように形成されている。
【００３２】
なお、上部ヘッダ２０および下部ヘッダ２１は、本体の外周形状に合わせて種々の形態をとらせることが可能であり、例えば図７のように長方形（ａ）だけでなく、屈曲形状（ｂ）や湾曲形状（ｃ）でも良い。これにより、本体の外周形状や熱交換器の入るスペースに合わせて最大形状にすることができ、本体を拡大することなく、除湿能力を向上させることが可能となる。
【００３３】
また、熱交換器３は、複数の通気孔が形成された前後に並ぶいくつかの薄型の中空体からなるものや、複数の中空パイプに放熱フィンを設けたものでも良く、形状は平板やＬ字形状など種々採用可能である。
【００３４】
したがって、熱交換器３の外部を通過する空気は、例えば図７（ａ）の形態の場合、矢印で示す如く、１列目の円管２２の間を通って２列目の円管２２に沿って流れ、さらに３列目の円管２２の間を通って４列目の円管２２に沿って流れ、その後、５列目の円管２２の間を通過するように、つまり各円管２２の間を縫うようにスムーズに流れることになり、通風抵抗が減少し、送風機４の回転数が減少し、消費電力を低減することができる。また、円管２２の表面積を伝熱面積として最大限利用することが可能になり、除湿能力の高い除湿機を提供することができる。
【００３５】
また、上部ヘッダ２０の上端面は、図６のように加熱手段２で水分が蒸発した高湿空気の送風方向に沿って低くなるよう構成されている。これにより、上部ヘッダ２０内部の風速が高湿空気の送風方向に向かうほどに増速し、円管２２に入る風量が均一化され、凝縮能力が増大して除湿効率を向上させることができる。
【００３６】
また、本体には、図８のようにその上面中央に、メイン吹出口２３が設けられているとともに、その上部の少なくとも一方の側面に、サブ吹出口２４が設けられていて、これらメイン吹出口２３及びサブ吹出口２４に、それぞれ風向を変化させる機能と蓋としての機能を合わせ持つメインベーン２５及びサブベーン２６が設けられている。
【００３７】
本実施形態の除湿機において、室内全体を除湿する場合や、本体の上方に設置された洗濯物を乾燥させる場合は、メイン吹出口２３とサブ吹出口２４を両方共開口する。これにより、本体上方、及び側面方向の広範囲に吹き出すことができ、かつ効率よく除湿することができる。
【００３８】
また、靴箱や押入れ内部、シンク下部などの局所空間を除湿する場合は、メインベーン２５によってメイン吹出口２３を閉じる。これにより、サブ吹出口２４のみ開口し、サブベーン２６を除湿対象に向けることにより、本体に別個に局所空間用アタッチメント等を付加することなく、局所空間の除湿を行うことができる。なお、サブ吹出口２４の開口面積をメイン吹出口２３のものより小さくすることにより、同一風量吹出時の吹出風速が増加し、除湿時間を短縮することができる。
【００３９】
なお、ここでは本体吸込口５を本体の背面に設けたものを例に挙げて説明したが、本体吸込口５は本体の前面を除く他の面（例えば側面）のいずれに設けても良く、そのような場合でも正面からは本体吸込口５が見えないため意匠性の問題は発生しない。このことは後述の実施の形態２においても同様である。
【００４０】
実施の形態２．
図９は本発明の実施の形態２に係る除湿機の上面側から見た水平方向の断面図であり、図中、前述の実施形態１のものと同一機能部分には同一符号を付してある。なお、説明にあたっては前述の実施形態１の図１及び図８を参照するものとする。
【００４１】
本実施形態の除湿機は、前述の実施形態１で説明した加熱手段２を含む吸湿素子１と熱交換器３の位置関係、及び送風機４の向き、をそれぞれ逆にしたものである。すなわち、図９のように除湿機本体の背面に、外気（室内空気）を導入するための本体吸込口５が設けられているとともに、本体の内部に、一端が本体吸込口５にそれぞれ接続されて外気が導入される第一及び第二の風路Ａ，Ｂが設けられている。また、本体内部の正面側に、第二の風路Ｂに導入された外気に含まれる水分を吸湿する吸湿素子１と、吸湿素子１に吸湿された水分を蒸発させる加熱手段２が配置されている。また、本体内部の背面側に、加熱手段２で蒸発した水分を、第一の風路Ａに導入される外気を用いて冷却・結露させる熱交換器３が配置されているとともに、吸湿素子１と熱交換器３との間の本体内中央部に、吸湿素子１および熱交換器３を通過した空気を吸引する送風機４が設置されている。さらに、第二の風路Ｂに、本体内部の正面側から背面に引き回すバイパスダクト６が設けられている。バイパスダクト６は、一方の開口部が、吸湿素子１を支える支持板７に開口した開口部８に接続されているとともに、他方の開口部が、本体吸込口５に向けて開口されている。それ以外の構成は、前述の実施形態１のものと同様である。
【００４２】
本実施形態の除湿機において、本体吸込口５から流入した空気の一部は、バイパスダクト６を通過し、支持板７に設けられた開口部８から吸湿素子１の前面空間２８を経由し、吸湿素子１を通過し、吸湿された後、送風機４に吸引され、室内に吹出される。その他の空気は、熱交換器３を通過し、送風機４に吸引され、室内に吹出される。このように、本体吸込口５を本体背面に設け、バイパスダクト６を用いて吸湿素子１と熱交換器３を通過する空気を分けることにより、本体正面には吸込口を設ける必要がなくなり、本体正面の意匠を自由に決定することができる。そして、意匠性や設置自由度を高めつつ、吸湿素子１を通過する空気の温度が熱交換器３の温度の影響により上昇するのを防止でき、除湿効率を高めることができる。
【００４３】
実施の形態３．
図１０は本発明の実施の形態３に係る除湿機の送風機のケーシングを正面側から見た鉛直方向の断面図、図１１はその送風機のケーシングを上方から見た水平方向の断面図である。なお、説明にあたっては前述の実施形態１の図１及び図２を参照するものとする。
【００４４】
本実施形態の除湿機は、送風機４のケーシング１５の内壁面に、図１０のように軸と直交する面内で見て渦巻き状に延出する複数の突条または複数の凹条からなる整流部２９を設けたものである。
【００４５】
これを更に詳述すると、整流部２９は、図１１のようにその複数の突条または複数の凹条の高さが、その幅方向の中央に比べてその幅方向の両側が高くなるように、さらに突条または凹条の高さが、その幅方向で見て最小となる位置が、送風機４の第一の回転翼１２と第二の回転翼１４とを仕切る仕切板１３の軸方向位置と同一位置となるように構成されている。なお、整流部２９の幅方向で見た形状は、図１１（ａ）〜（ｃ）のように鋸型や波型、或いは山型など種々採用可能である。
【００４６】
本実施形態の除湿機において、整流部２９を構成する複数の突条または複数の凹条は、ピッチ５mm〜１５mmで、高さ１mm〜５mmの範囲に設定されている。
【００４７】
これにより、ケーシング１５内部を軸方向に向かおうとする流れが整流部２９によって阻止され、ケーシング１５内部の空気が軸と直行する面に沿って流れて安定し、ケーシング１５の吸込口からの漏出が防止される。このため、送風機４の静圧が上昇し、送風機４の回転数を低下させることが可能となり、消費電力や騒音を低減することができる。
【００４８】
また、整流部２９の幅方向で見た高さの極小値位置が、送風機４の第一の回転翼１２と第二の回転翼１４とを仕切る仕切板１３の軸方向位置と一致するように構成しているので、第一の回転翼１２と第二の回転翼１４によりそれぞれ発生しケーシング１５内で合流する風が、ケーシング１５内で干渉して乱流となるのを最小限に抑えることができる。
【００４９】
さらに、整流部２９を、ピッチ５mm〜１５mm、高さ１mm〜５mmの範囲で設けられた複数の突条または複数の凹条で構成しているので、第一及び第二の回転翼１２，１４と整流部２９の干渉を防止でき、騒音が増大することなく、既述した整流効果を得ることができ、消費電力や騒音を低減することができる。
【図面の簡単な説明】
【００５０】
【図１】本発明の実施の形態１に係る除湿機を側面側から見た鉛直方向の部分断面図である。
【図２】本発明の実施の形態１に係る除湿機の上面側から見た水平方向の断面図である。
【図３】本発明の実施の形態１に係る除湿機の背面側から見た鉛直方向の部分断面図である。
【図４】本発明の実施の形態１に係る除湿機の風路内に設置されるベルマウスを示す斜視図である。
【図５】本発明の実施の形態１に係る除湿機の風路内に設置される導風板を示す斜視図である。
【図６】本発明の実施の形態１に係る除湿機の熱交換器を示す斜視図である。
【図７】本発明の実施の形態１に係る除湿機の熱交換器の上部ヘッダや下部ヘッダと円管との接続部を上方から見た水平方向の断面図である。
【図８】本発明の実施の形態１に係る除湿機の本体を背面側から見た外観を示す斜視図である。
【図９】本発明の実施の形態２に係る除湿機の上面側から見た水平方向の断面図である。
【図１０】本発明の実施の形態３に係る除湿機の送風機のケーシングを正面側から見た鉛直方向の断面図である。
【図１１】本発明の実施の形態３に係る除湿機の送風機のケーシングを上方から見た水平方向の断面図である。
【符号の説明】
【００５１】
Ａ  第一の風路、Ｂ  第二の風路、１  吸湿素子、２  加熱手段、３  熱交換器、４  送風機、５  本体吸込口、６  バイパスダクト、９  高湿空気用ダクト、１２  第一の回転翼、１３  仕切板、１４  第二の回転翼、１５  ケーシング、１６  モータ、１８  ベルマウス、１９  導風板、２０  上部ヘッダ、２１  下部ヘッダ、２２  円管、２３  メイン吹出口、２４  サブ吹出口、２５  メインベーン（ベーン）、２６  サブベーン（ベーン）、２９  整流部。
【図１】
0004688859.tif 000002
【図２】
0004688859.tif 000003
【図３】
0004688859.tif 000004
【図４】
0004688859.tif 000005
【図５】
0004688859.tif 000006
【図６】
0004688859.tif 000007
【図７】
0004688859.tif 000008
【図８】
0004688859.tif 000009
【図９】
0004688859.tif 000010
【図１０】
0004688859.tif 000011
【図１１】
0004688859.tif 000012